(57)【要約】【課題】  高度のデザイン性を備えるとともに、レイアウト等の変更の際にも、棚板の向きや高さを自由にアレンジすることができるようにした商品陳列什器を提供する。【解決手段】  基台１に立設した支柱２に、遊端部３ａに向けて漸次狭幅となるブラケット３を放射状に取付けるとともに、下面に葉脈状の補強用リブ１５を設けた棚板４を、各ブラケット毎に独立して設ける。【選択図】        図１
2006271542.tif 000002
【特許請求の範囲】
【請求項１】
基台に立設した支柱に、遊端部に向けて漸次狭幅となるブラケットを放射状に取付けるとともに、各ブラケット毎に独立した棚板を設けたことを特徴とする商品陳列什器。
【請求項２】
棚板の外形を、平面視において、ブラケットを対称軸としてほぼ線対称になるような形状のものとしたことを特徴とする請求項１記載の商品陳列什器。
【請求項３】
棚板の下面の左右中央にブラケットに取付けるための嵌合部を設けるとともに、この嵌合部から棚板の周縁に向けて延びる複数の補強用線条を設けたことを特徴とする請求項１または２記載の商品陳列什器。
【請求項４】
棚板の外形を、平面視において、ほぼ円状、三角形状または葉状となし、棚板の下面または上面に、葉脈状の補強用線条を設けたことを特徴とする請求項１〜３のいずれかに記載の商品陳列什器。
【請求項５】
棚板を、透光性材料を用いて形成したことを特徴とする請求項１〜４のいずれかに記載の商品陳列什器。
【請求項６】
棚板の下面に照明装置を取付けたことを特徴とする請求項１〜５のいずれかに記載の商品陳列什器。
【発明の詳細な説明】
【技術分野】
【０００１】
本発明は、支柱を中心として、その回りを囲むように商品陳列部を形成する商品陳列什器に関する。
【背景技術】
【０００２】
本願出願人は、この種の商品陳列什器として、基台に立設した支柱に、複数のブラケットを放射状に取付け、これらのブラケットにより、支柱を中心とする円板状の棚板を支持したものを提案している（特願２００３−３１１９５９号）。
【０００３】
この提案の商品陳列什器は、支柱の回りの全方向に向けて、商品を陳列することができるとともに、空間を有効に利用できる反面、ディスプレーやレイアウトの変更時において、棚板の高さや棚板間の間隔を調整する程度の変更しかできないという問題があった。
【発明の開示】
【発明が解決しようとする課題】
【０００４】
本発明は、前記の現状に鑑み、高度のデザイン性を備えるとともに、ディスプレーやレイアウトの変更の際にも、棚板の向きや高さを自由にアレンジすることができるようなデザインの自由性を有し、さらに実用上充分な強度を備える棚板を有する商品陳列什器を提供することを目的とする。
【課題を解決するための手段】
【０００５】
上記課題は、特許請求の範囲における各請求項に示すように、下記の構成を備える発明によって解決される。
(１)  基台に立設した支柱に、遊端部に向けて漸次狭幅となるブラケットを放射状に取付けるとともに、各ブラケット毎に独立した棚板を設けた商品陳列什器とする。
【０００６】
(２)  上記(１)項において、棚板の外形を、平面視において、ブラケットを対称軸としてほぼ線対称になるような形状のものとする。
【０００７】
(３)  上記(１)項または(２)項において、棚板の下面の左右中央にブラケットに取付けるための嵌合部を設けるとともに、この嵌合部から棚板の周縁に向けて延びる複数の補強用線条を設ける。
【０００８】
(４)  上記(１)項〜(３)項のいずれかにおいて、棚板の外形を、平面視において、ほぼ円状、三角形状または葉状となし、棚板の下面または上面に、葉脈状の補強用線条を設ける。
【０００９】
(５)  上記(１)項〜(４)項のいずれかにおいて、棚板を、透光性材料を用いて形成する。
【００１０】
(６)  上記(１)項〜(５)項のいずれかにおいて、棚板の下面に照明装置を取付ける。
【発明の効果】
【００１１】
本発明によると、次のような効果が奏せられる。
請求項１記載の発明によれば、安らぎと成長をイメージする樹木を模した、従来みられなかった高度のデザイン性を備える商品陳列什器が得られる。しかも、支柱に放射状に取付けられた複数の各ブラケット毎に独立した棚板が設けられているため、ディスプレーやレイアウトの変更の際にも、個々の棚板の向きや高さを、他の棚板に無関係に変更してアレンジすることができるためデザインの自由性を有する。
【００１２】
請求項２記載の発明によれば、棚板が葉を想起させるものとなり、樹木のイメージが強調された商品陳列什器が得られる。
【００１３】
請求項３記載の発明によれば、嵌合部から棚板の周縁に向けて延びる複数の補強用線条によって、実用上充分な強度を備える棚板が得られる。
【００１４】
請求項４記載の発明によれば、一層良好な樹木のイメージを備える商品陳列什器が得られる。
【００１５】
請求項５記載の発明によれば、棚板の下面の葉脈状の補強用線条の視認が容易となり、樹木のイメージが強調されるとともに、透光性材料を用いて形成された棚板が、若葉を連想されるものとなり、明るいイメージの商品陳列什器が得られる。
【００１６】
請求項６記載の発明によれば、たとえば、照明の色を、春は緑色、秋は茶色等にすることにより、四季それぞれの樹木をイメージさせる商品陳列什器が得られる。
【発明を実施するための最良の形態】
【００１７】
図１は、本発明の一実施形態を示す商品陳列什器の上方斜視図、図２は、図１に示した商品陳列什器の正面図、図３は、商品陳列什器の要部拡大上方斜視図、図４は、ブラケットと棚板の拡大下方斜視図、図５は、棚板の拡大平面図、図６は、図５に示す棚板の破線円Ａ部分の要部拡大平面図である。
【００１８】
本発明の商品陳列什器は、基台(１)に立設された支柱(２)に、複数のブラケット(３)が取付けられ、各ブラケット(３)毎に独立した棚板(４)が設けられて構成されている。
【００１９】
基台(１)は円板上に円錐体を連設した形状の基台本体(５)と、この基台本体(５)の頂部に設けられた上下方向を向く有底筒部(６)とより形成されている。有底筒部(６)には、円柱状の支柱(２)の下端が嵌入されて、支柱(２)が基台(１)に立設されている。支柱(２)には、遊端部(3a)に向けて漸次狭幅となるブラケット(３)が、上下方向に複数、全体として放射状になるように取付けられている。
【００２０】
ブラケット(３)は、図３，図４に示すように、上下方向を向く筒体部(７)と、この筒体部(７)からやや上向きに側方に延びるアーム基部(８)と、このアーム基部(８)に連設された水平方向を向く取付アーム部(９)とより構成されている。アーム基部(８)は、縦断面が横長方形をなし先細りとなっている。取付アーム部(９)は、遊端部(3a)に向けて漸次狭幅となる板状の上部アーム部(10)と、この上部アーム部(10)の下面に設けられた、上部アーム部より狭幅の下部アーム部(11)とより形成されている。
【００２１】
一方、棚板(４)は、図３〜図６に示すように、平面視円状であって、下面に、ブラケット(３)の取付アーム部(９)を嵌入するための嵌合部(12)が設けられている。嵌合部(12)は、円状の棚板(４)の直径方向に設けられ、縦断面が下向きに開口するほぼＴ字状の嵌入孔(13)が形成されるように設けられている。
【００２２】
棚板(４)の周縁には、下向きの縁枠(14)が設けられ、嵌合部(12)における左右から縁枠(14)の内面(14a)に向けて補強用線条としてのリブ(15)が設けられている。このリブ(15)は、嵌合部(12)から縁枠(14)に向かうに従って、支柱(２)から離れるように前向きに傾斜しており、リブ(15)と嵌合部(12)とがなす角度のうち、支柱(２)から離れる側に位置する角度∠α（図４，図５参照）が鋭角となっている。
【００２３】
ブラケット(３)を支柱(２)に取付けるには、次のようにする。すなわち、図３に示すように、１対の半筒状取付具(16)(16)を、支柱(２)におけるブラケット(３)を取付けようとする所望の位置に、支柱(２)を挟むようにして片手で保持しておくとともに、ブラケット(３)を、上方から、ブラケット(３)の筒体部(７)を支柱(２)に嵌挿することにより、前記半筒状取付具(16)(16)に外嵌させる。筒体部(７)の内径は、上端における内径Ｌ１が、下端における内径Ｌ２よりも小さくなっており、ブラケット(３)の筒体部(７)を上方から半筒状取付具(16)(16)に外嵌させて、ブラケット(３)を半筒状取付具(16)(16)に対して相対的に下方に移動させるにしたがって、半筒状取付具(16)(16)が、締めつけられて支柱(２)に強固に密着し、これによってブラケット(３)が支柱(２)に固定される。
なお、半筒状取付具(16)(16)の内面には、滑りを防止するためのゴム板(17)が張り付けられている。
【００２４】
次いで棚板(４)における嵌合部(12)の嵌入孔(13)内に、ブラケット(３)の取付アーム部(９)を嵌合させることにより、棚板(４)をブラケット(３)に取付ける。前記嵌合により、取付アーム部(９)の上部アーム部(10)、下部アーム部(11)が、それぞれ棚板(４)の嵌合孔(13)における広幅部(13a)、狭幅部(13b)内に嵌合されるとともに、図５，図６に示すように、下部アーム部(11)における基部の左右に設けられた小突起(18)(18)が、嵌入孔(13)における入口の左右に設けられた凹部(19)(19)に係止され、棚板(４)が、ブラケット(３)から脱落することが防止されるようになっている。
【００２５】
棚板(４)は、透光性材料で形成されることが好ましく、この場合、図示を省略した照明装置を棚板(４)の下面等に取付けることにより、棚板(４)上の載置された陳列商品のライトアップとともに、棚板(４)の下面に設けられたリブ(15)の視認を容易にして、棚板(４)を樹木の葉を模したものとしての連想を容易ならしめることができる。
なお、棚板の外形は、円状のもののほか、平面視において、三角形状または葉状など、ブラケットを対称軸としてほぼ線対称の任意の形状とすることができる。
【００２６】
また、葉脈を模した補強用線条は、棚板の下面だけでなく、上面に設けることもできる。
【図面の簡単な説明】
【００２７】
【図１】本発明の一実施形態を示す商品陳列什器の上方斜視図である。
【図２】図１に示した商品陳列什器の正面図である。
【図３】商品陳列什器の要部拡大上方斜視図である。
【図４】ブラケットと棚板の拡大下方斜視図である。
【図５】棚板の拡大平面図である。
【図６】図５に示す棚板の破線円Ａ部分の要部拡大平面図である。
【符号の説明】
【００２８】
(１)基台
(２)支柱
(３)ブラケット
(3a)遊端部
(４)棚板
(５)基台本体
(６)有底筒部
(７)筒体部
(８)アーム基部
(９)取付アーム部
(10)上部アーム部
(11)下部アーム部
(12)嵌合部
(13)嵌入孔
(13a)広幅部
(13b)狭幅部
(14)縁枠
(14a)内面
(15)リブ
(16)半筒状取付具
(17)ゴム板
【図１】
2006271542.tif 000003
【図２】
2006271542.tif 000004
【図３】
2006271542.tif 000005
【図４】
2006271542.tif 000006
【図５】
2006271542.tif 000007
【図６】
2006271542.tif 000008